(57)【特許請求の範囲】
【請求項１】
管が挿入される筒体と、該筒体に挿入された管を抜け止め状態で係止する管係止部を備えた止め具とから成り、
管挿入時には、前記止め具の管係止部が前記筒体の内周面から内方に侵入するのを阻止し、管挿入後には、前記止め具の管係止部が前記筒体の内周面よりも内方に侵入可能にする侵入阻止部が、前記筒体及び止め具の少なくとも一方に設けられて成る管連結装置であって、
前記侵入阻止部が折曲げ可能となって設けられていることを特徴とする管連結装置。
【請求項２】
半環状の止め具の内周面に、管係止部と侵入阻止部との双方が設けられていることを特徴とする請求項１に記載の管連結装置。
【請求項３】
筒体における止め具の侵入阻止部と対応する部分に、管挿入時において、前記侵入阻止部の転倒を防止する転倒防止部が設けられていることを特徴とする請求項１又は２に記載の管連結装置。
【発明の詳細な説明】
【０００１】
【発明の属する技術分野】
本発明は、管挿入時において、止め具の管係止部が筒体の内周面から内方に侵入するのを阻止する侵入阻止部を備えた管連結装置に関するものである。
【０００２】
【従来の技術】
上記した侵入阻止部を備えた管連結装置として、特開昭63-11012号公報に開示されているものが知られている。この管連結装置は、管係止部を備えた半環状をした止め具の周方向の中央部、或いは該止め具の両端のボス部に突起状をした侵入阻止部が一体に設けられた構成である。
【０００３】
この侵入阻止部は、管挿入時には止め具の全体を支持して、その管係止部が筒体の内周面よりも内方に侵入するのを防止しており、管挿入後にはそのまま放置して、止め具を締め付けると、該止め具と筒体との間に隙間が生ずるために、折り取る必要がある。また、突起状の侵入阻止部を折り取る際に飛散して、作業者の目に入る等の危険もあった。更に、侵入阻止部を折り取った後に、配管変更があった場合には、止め具を手で支持した状態で、筒体に対して管の挿入作業を行わざるを得ないという問題もあった。
【０００４】
【発明が解決しようとする課題】
本発明は、筒体に対して管を挿入した後においても、侵入阻止部を折り取る必要のない管連結装置の提供を課題としている。
【０００５】
【課題を解決するための手段】
この課題を解決するために本発明の採用した手段は、管が挿入される筒体と、該筒体に挿入された管を抜け止め状態で係止する管係止部を備えた止め具とから成り、管挿入時には、前記止め具の管係止部が前記筒体の内周面から内方に侵入するのを阻止し、管挿入後には、前記止め具の管係止部が前記筒体の内周面よりも内方に侵入可能にする侵入阻止部が、前記筒体及び止め具の少なくとも一方に設けられて成る管連結装置において、前記侵入阻止部を折曲げ可能にしたことである。
【０００６】
管挿入時には、侵入阻止部を起立させて、止め具の管係止部が、筒体の内周面よりも内方に侵入しないようにしておくと、筒体に管を挿入できる。管挿入後においては、ドライバー、指先等で起立している侵入阻止部を押したり、或いは引いたりすると、該侵入阻止部は、折れ曲がった状態でそのまま残って、止め具の管係止部が管の周溝に係止して、筒体に挿入された管は、抜け出なくなる。
【０００７】
また、侵入阻止部は、折り曲げられて、そのまま残っているので、配管変更等が発生した場合には、侵入阻止部を再度起立させて、止め具を保持できる。また、侵入阻止部は、折曲げ可能な構造であるために、その起立姿勢を安定化させるために、侵入阻止部が設けられている部材（筒体又は止め具）でない相手方の部材に、侵入阻止部の先端部を係止させて、該侵入阻止部の転倒を防止する転倒防止部を設けておくことが望ましい。
【０００８】
【発明の実施の形態】
以下、実施形態を挙げて、本発明を更に詳細に説明する。図１は、本発明の第１実施形態の管連結装置Ｃ1 の分解斜視図であり、図２は、２本の波付管Ｐを管連結装置Ｃ1 で連結した部分の縦断面図であり、図３は、侵入阻止板部１５が起立した状態の管連結装置Ｃ1 の部分斜視図であり、図４は、同じく侵入阻止板部１５が折れ曲がった状態の管連結装置Ｃ1 の部分斜視図である。図１及び図２において、本発明の第１実施形態の管連結装置Ｃ1 は、２本の波付管Ｐの端部を互いに連結するためのものであり、前記波付管Ｐの端部を挿入する円筒体Ａ1 と、該円筒体Ａ1 の両端部にそれぞれ嵌着される一対の半環状の止め具Ｂ1 とで構成される。
【０００９】
円筒体Ａ1 の内周面の長手方向の中央部には、その両端から挿入された波付管Ｐの端面を当接させるための管当接部１が周方向に沿って設けられ、円筒体Ａ1 の両端部には、半環状をした一対の止め具Ｂ1 を嵌着させるための被嵌着部２がそれぞれ設けられている。この被嵌着部２の断面形状は、一対の止め具Ｂ1 の内周面に設けられた嵌着部１１の断面形状に対応しており、それらの凹凸部が互いに嵌着することにより、円筒体Ａ1 の両端部に一対の止め具Ｂ1 が嵌着された状態では、該一対の止め具Ｂ1 は、円筒体Ａ1 の長手方向に移動しない構造になっている。
【００１０】
また、円筒体Ａ1 に挿入された波付管Ｐを抜止め状態で係止する止め具Ｂ1 は、一対の半環状の部材で構成される。即ち、半環状をした一対の止め具Ｂ1 の内周面には、前記円筒体Ａ1 の両端の被嵌着部２に嵌着される嵌着部１１がそれぞれ設けられ、一対の止め具Ｂ1 のうち上方に配置されるものの内周面には、嵌着部１１の外側（嵌着状態において円筒体Ａ1 の端面側）に位置して三日月状をした管係止部１２が設けられている。この管係止部１２は、図１の左端部に示されるように、円筒体Ａ1 に挿入された波付管Ｐの周溝４１に係止して、該波付管Ｐの抜け出しを防止する部分である。また、一対の止め具Ｂ1 の両端部には、使用状態において互いに合致結合されるフランジ板部１３が設けられ、各止め具Ｂ1 のフランジ板部１３は、ビス１４により一体に結合される。
【００１１】
また、図１及び図２に示されるように、管係止部１２を備えた側の止め具Ｂ1 には、円筒体Ａ1 に波付管Ｐを挿入する際に、止め具Ｂ1 の管係止部１２が円筒体Ａ1 の内周面よりも内方に侵入するのを阻止する薄板状をした侵入阻止板部１５が設けられている。即ち、半環状をした止め具Ｂ1 の幅方向に沿って該管係止部１２と反対側の端部であって、しかも周方向に沿った中央部に、前記侵入阻止板部１５がヒンジ部１６を介して一体に設けられている。このため、侵入阻止板部１５は、その基端部（ヒンジ部１６の部分）で折り曲げ可能である。
【００１２】
一方、図１ないし図３に示されるように、円筒体Ａ1 の外周面における止め具Ｂ1 の侵入阻止板部１５の位置に対応する部分には、起立姿勢の侵入阻止板部１５が倒れるのを防止するコの字状をした突条で構成される転倒防止部３が設けられている。図３に示されるように、起立姿勢の侵入阻止板部１５の下端部を前記転倒防止部３を構成する突条の間に位置させて、係止状態にさせることにより、該侵入阻止板部１５の起立姿勢が維持される。なお、侵入阻止板部１５の下端部を係止させて、その転倒を防止する転倒防止部３は、凹状に形成されたものでもよい。
【００１３】
そして、上記した管連結装置Ｃ1 を使用して、２本の波付管Ｐを連結するには、以下のようにして行う。先ず、図２で右半分、及び図３に示されるように、円筒体Ａ1 の両端の被嵌着部２にそれぞれ一対の止め具Ｂ1 を「不完全な状態」で嵌着させておく。ここで、「不完全な状態」で嵌着させるとは、半環状をした一対の止め具Ｂ1 のうち、内周面に管係止部１２を備えたものを上方に配置して、該止め具Ｂ1 に設けられた侵入阻止板部１５の下端部を、円筒体Ａ1 に設けられた転倒防止部３を構成する突条の間に嵌まり込ませて、該侵入阻止板部１５の起立姿勢を維持した状態で、一対の止め具Ｂ1 の各フランジ板部１３をビス１４を介して仮結合させることを意味する。この状態では、上方に配置された止め具Ｂ1 の内周面の管係止部１２は、円筒体Ａ1 の内周面から外方に配置されていて、波付管Ｐが挿入可能になっている。よって、この状態で、各波付管Ｐの端面を円筒体Ａ1 の軸方向の中央部に設けられた管当接部１に当接させるか、或いはこれに近接させる程度にして、円筒体Ａ1 の両端の開口からそれぞれ波付管Ｐの端部を挿入する。この管挿入時においては、止め具Ｂ1 に設けられた前記侵入阻止板部１５の下端部は、前記転倒防止部３を構成する突条の間に嵌まり込んでいて、その起立姿勢が安定して維持されているので、管挿入時において上方の止め具Ｂ1 が下がって、波付管Ｐが挿入不能になることはない。
【００１４】
上記のようにして、円筒体Ａ1 に２本の波付管Ｐの端部をそれぞれ挿入した後において、図２で左半分、及び図４に示されるように、円筒体Ａ1 の両端に仮結合状態で嵌着されている一対の止め具Ｂ1 のうち上方の止め具Ｂ1 の侵入阻止板部１５をドライバー、指先等によって止め具Ｂ1 の外方に折り曲げて、上下一対の止め具Ｂ1 の各フランジ板部１３をビス１４によって一体に結合すると、上方の止め具Ｂ1 の管係止部１２が波付管Ｐの周溝４１に入り込んで係止される。このように、侵入阻止板部１５は、単に折り曲げるのみで、一対の止め具Ｂ1 を一体結合できて、従来のように折り取る必要がなく、このため、折り取られた侵入阻止板部１５が周辺に飛散する恐れもない。これにより、先端部のみが円筒体Ａ1 内に挿入された各波付管Ｐは、円筒体Ａ1 に対して抜け出し不能となって、２本の波付管Ｐは、管連結装置Ｃ1 を介して互いに連結される。
【００１５】
また、波付管Ｐを連結した後に、配管変更等が生じた場合においても、図４に示されるように、侵入阻止板部１５は、ヒンジ部１６を介して止め具Ｂ1 に一体に連結されているので、該侵入阻止板部１５を再利用して、波付管Ｐの再挿入が可能となる。なお、上記管連結装置Ｃ1 の全体の概略寸法は、その長さ及び外径がそれぞれ約４７０ｍｍ、約２６０ｍｍであって、比較的大型であり、このような大型の管連結装置においても、止め具Ｂ1 の管係止部１２が管挿入空間に侵入するのを阻止した状態で波付管Ｐの挿入が可能となるので、その効果は大きい。
【００１６】
引き続いて、図５及び図６を参照にして、本発明の第２実施形態の管連結装置Ｃ2 について説明する。この管連結装置Ｃ2 は、上記のものと異なり、異種管の連結に使用されるものであって、その外周面の管挿入開口３１に臨む部分に左右一対のボス部３２が一体に設けられた円筒体Ａ2 と、該円筒体Ａ2 の一対のボス部３２に対してビス３３を介して結合される半環状の止め具Ｂ2 とで構成される。止め具Ｂ2 には、その内周面に管係止部３４が設けられている。また、止め具Ｂ2 は、円筒体Ａ2 の一端部に嵌着されて、円筒体Ａ2 の軸方向（長手方向）に移動不能な構成は、上記管連結装置Ｃ2 の対応部分と同一である。
【００１７】
また、止め具Ｂ2 の両端部にそれぞれフランジ板部３５が設けられ、各フランジ板部３５の手前側（止め具Ｂ2 の嵌着状態において、管挿入開口３１の側）の部分に侵入阻止板部３６がヒンジ部３７を介して一体に設けられている。
【００１８】
そして、管挿入時には、図５に示されるように、止め具Ｂ2 の両端部に設けられた各侵入阻止板部３６を起立させて、それらの下端面を円筒体Ａ2 の左右の各ボス部３２の上面に当接させて、各侵入阻止板部３６の起立姿勢を維持することにより、その管係止部３４を円筒体Ａ2 の内周面よりも外方に位置させておく（管挿入空間に対して退避させておく）。この状態で、管挿入開口３１から波付管Ｐを挿入し、挿入後においては、止め具Ｂ2 の両端部の各侵入阻止板部３６をヒンジ部３７の部分において手前側に折り曲げて、該侵入阻止板部３６を挟み込まないようにして、止め具Ｂ2 の各フランジ板部３５と円筒体Ａ2 の各ボス部３２とをビス３３を介して一体に結合すると、止め具Ｂ2 の管係止部３４が波付管Ｐの周溝４１に入り込んで、該波付管Ｐが抜け出し不能となる。
【００１９】
また、上記各実施態様は、いずれも起立姿勢の侵入阻止板部１５，３６を止め具Ｂ1,Ｂ2 の外側に引っ張って、該侵入阻止板部１５，３６を折り曲げているために、円筒体Ａ1,Ａ2 と止め具Ｂ1,Ｂ2 との間において侵入阻止板部１５，３６が挟まれない利点がある。しかし、止め具Ｂ1,Ｂ2 の外側から起立姿勢の侵入阻止板部１５，３６を押すことにより、該侵入阻止板部１５，３６を円筒体Ａ1,Ａ2 と止め具Ｂ1,Ｂ2 との間に押し倒して折り曲げてもよい。
【００２０】
なお、第１実施形態の管連結装置Ｃ1 に対しても、第２実施形態の管連結装置Ｃ2 とほぼ同様にして、上方に配置される管係止部１２を備えた止め具Ｂ1 の両端の各フランジ板部１３に侵入阻止板部１５をそれぞれ設けて、この各侵入阻止板部１５を下方に配置される止め具Ｂ1 の各フランジ板部１３で支持する構成にすることも可能である。また、上記各実施形態は、いずれも止め具の側に侵入阻止板部が折り曲げ可能となって設けられているが、円筒体の側に侵入阻止板部を設けることも可能である。
【００２１】
【発明の効果】
本発明に係る管連結装置は、管挿入時において、止め具の管係止部が筒体の内周面よりも内方に侵入するのを防止する侵入阻止部が、筒体及び止め具の少なくとも一方に折曲げ可能となって設けられているので、管挿入後においては、ドライバー、指先等で起立している侵入阻止部を押したり、或いは引いたりすると、該侵入阻止部は、折れ曲がった状態でそのまま残って、止め具の管係止部が管の周溝に係止して、筒体に挿入された管は、抜け出なくなる。また、侵入阻止部は、折り曲げられて、そのまま残っているので、配管変更等が発生した場合には、侵入阻止部を再度起立させて、止め具を保持できる。
【図面の簡単な説明】
【図１】本発明の第１実施形態の管連結装置Ｃ1 の分解斜視図である。
【図２】２本の波付管Ｐを管連結装置Ｃ1 で連結した部分の縦断面図である。
【図３】侵入阻止板部１５が起立した管挿入時の管連結装置Ｃ1 の部分斜視図である。
【図４】同じく侵入阻止板部１５が折れ曲がった管挿入後の管連結装置Ｃ1 の部分斜視図である。
【図５】本発明の第２実施形態の管連結装置Ｃ2 の侵入阻止板部３６が起立した管挿入時の斜視図である。
【図６】同じく侵入阻止板部３６が折れ曲がった管挿入後の斜視図である。
【符号の説明】
Ａ1,Ａ2 ：円筒体（筒体）
Ｂ1,Ｂ2 ：止め具
Ｃ1,Ｃ2 ：管連結装置
Ｐ：波付管
３：転倒防止部
１２，３４：管係止部
１５，３６：侵入阻止板部（侵入阻止部）
１６，３７：ヒンジ部
【図１】
0003701497.tif 000002
【図２】
0003701497.tif 000003
【図３】
0003701497.tif 000004
【図４】
0003701497.tif 000005
【図５】
0003701497.tif 000006
【図６】
0003701497.tif 000007